(57)【要約】【課題】  ＣＣＴＶカメラ装置が撮像している場所で蓄積していたため、ＣＣＴＶカメラ装置が蓄積したい場所ではない場合でも、その画像を蓄積してしまう。  ＣＣＴＶカメラ装置が蓄積したい場所を視野範囲としていない場合でも、所望の視野範囲場所にＣＣＴＶカメラ装置の視野範囲を移動させて画像を蓄積することができる画像蓄積サーバ及びＣＣＴＶシステムを実現する。【解決手段】  本発明の画像蓄積サーバ及びＣＣＴＶシステムは、画像蓄積サーバが、ＣＣＴＶカメラ装置の画像を蓄積するタイミングに連動させ、ＣＣＴＶカメラ装置をプリセット移動させる。これによって、事前に登録しておいたプリセット位置の画像を蓄積することが可能となる。【選択図】  図３
2006303916.tif 000002
【特許請求の範囲】
【請求項１】
ＣＣＴＶカメラ装置と、上記ＣＣＴＶカメラ装置の画像を蓄積する画像蓄積サーバとを備え、上記画像蓄積サーバは、予め登録されたスケジュールに従って、上記ＣＣＴＶカメラ装置のカメラポジションを変更して、上記ＣＣＴＶカメラ装置が取得した上記予め登録されたスケジュールのカメラポジションの画像を蓄積することを特徴とする画像蓄積サーバ。
【請求項２】
ＣＣＴＶカメラ装置と、上記ＣＣＴＶカメラ装置の画像を蓄積する画像蓄積サーバとを備えたＣＣＴＶシステムにおいて、
上記画像蓄積サーバは、予め登録されたスケジュールに従って、上記ＣＣＴＶカメラ装置のカメラポジションを変更する手段を有し、
上記ＣＣＴＶカメラ装置が取得した上記予め登録されたスケジュールのカメラポジションの画像を蓄積することを特徴とするＣＣＴＶシステム。
【請求項３】
請求項２記載のＣＣＴＶシステムにおいて、上記予め登録されたスケジュールに従って画像を蓄積した後は、ＣＣＴＶカメラ装置を元のカメラポジションに戻すことを特徴とするＣＣＴＶシステム。
【発明の詳細な説明】
【技術分野】
【０００１】
本発明は、プリセット機能を持ったＣＣＴＶカメラ装置に関わり、特に画像蓄積サーバに関する。
【背景技術】
【０００２】
従来の画像蓄積システムでは、所定時間ごとにＣＣＴＶカメラ装置が取得した画像を画像蓄積サーバが記録していた（例えば、特許文献１参照。）。
【０００３】
【特許文献１】特開２００４−８０４２４号公報（段落 0005 〜 0011 、図４）
【発明の開示】
【発明が解決しようとする課題】
【０００４】
上述のように、従来は、ＣＣＴＶカメラ装置が撮像しているカメラポジションで蓄積していたため、ＣＣＴＶカメラ装置が蓄積したいカメラポジションにない場合でも、その画像を蓄積してしまうことがある。
本発明の目的は、上記のような問題を解決し、ＣＣＴＶカメラ装置が蓄積したいカメラポジション（視野範囲）としていない場合でも、所望のカメラポジションにＣＣＴＶカメラ装置の視野範囲を移動させて画像を蓄積することができる画像蓄積サーバ及びＣＣＴＶシステムを実現することにある。
【課題を解決するための手段】
【０００５】
上記の目的を達成するため、本発明の画像蓄積サーバ及びＣＣＴＶシステムは、画像蓄積サーバが、ＣＣＴＶカメラ装置の画像を蓄積するタイミングに連動させ、ＣＣＴＶカメラ装置をプリセット移動させる。これによって、事前に登録しておいたプリセット位置の画像を蓄積することが可能である。
また、好ましくは、画像蓄積するカメラポジション（視野範囲）と、通常監視するカメラポジション（視野範囲）とは異なることがあるので、連動動作後は、元のカメラポジションへＣＣＴＶカメラ装置を戻す。
ＣＣＴＶカメラ装置の現在のカメラポジション、プリセット位置、及び画像蓄積サーバの蓄積タイミングは、カメラ管理サーバにて管理し、カメラ管理サーバからＣＣＴＶカメラ装置に指示のための信号を伝送してプリセット移動制御を行なう。
【０００６】
即ち、本発明の画像蓄積サーバは、ＣＣＴＶカメラ装置と、ＣＣＴＶカメラ装置の画像を蓄積する画像蓄積サーバとを備え、画像蓄積サーバは、予め登録されたスケジュールに従って、ＣＣＴＶカメラ装置のカメラポジションを変更して、ＣＣＴＶカメラ装置が取得した予め登録されたスケジュールのカメラポジションの画像を蓄積することを特徴とする。
また、本発明のＣＣＴＶシステムは、ＣＣＴＶカメラ装置と、ＣＣＴＶカメラ装置の画像を蓄積する画像蓄積サーバとを備えたＣＣＴＶシステムにおいて、画像蓄積サーバは、予め登録されたスケジュールに従って、ＣＣＴＶカメラ装置のカメラポジションを変更する手段を有し、ＣＣＴＶカメラ装置が取得した予め登録されたスケジュールのカメラポジションの画像を蓄積することを特徴とする。
また、好ましくは、本発明のＣＣＴＶシステムは、予め登録されたスケジュールに従って画像を蓄積した後は、ＣＣＴＶカメラ装置を元のカメラポジションに戻すことを特徴とする。
【発明の効果】
【０００７】
画像蓄積サーバが、画像を蓄積する直前にカメラ管理サーバにて、ＣＣＴＶカメラ装置をプリセット移動させ、画像蓄積することできるため、カメラ画像を蓄積したいカメラポジションが、現在のＣＣＴＶカメラ装置のカメラポジションとことなる場合でも、所望の視野範囲の画像を蓄積可能となった。
【発明を実施するための最良の形態】
【０００８】
本発明は、プリセット機能を持ったＣＣＴＶカメラ装置において、所定の時間ごとに、画像蓄積を行なう場合に、画像蓄積の時間になったら、ＣＣＴＶカメラ装置を、予め定められた蓄積したいカメラポジションへ自動的に移動させて移動後に、ＣＣＴＶカメラ装置が取得した画像を画像蓄積サーバで蓄積し、蓄積終了後は、元のカメラポジションにＣＣＴＶカメラ装置を戻すものである。
【０００９】
本発明の一施例を、図１〜３によって説明する。図１は、本発明を適用するＣＣＴＶシステムの構成を示すブロック図である。1 はプリセット機能（パン、チルト機構、ズーム倍率変更、または焦点距離変更の少なくとも１つの機能）を備えたカメラ、2 はカメラ管理サーバ、3 は画像蓄積サーバ、4 はエンコーダ（ ENC ）、5 はカメラ制御部、6 は 切替器、7 は操作用 PC（ Personal Computer ）である。カメラ制御部 5 は、複数のカメラ 1 それぞれについて、プリセット機能を制御する。切替器 6 は、例えば、L3-SW である。
【００１０】
図２は、画像蓄積サーバ 3 に蓄積された画像を、操作用 PC 7 の表示部に表示した表示例である。このように、蓄積された画像の縮小代表画像 22 が表示画面内に表示される（実際の画像は煩雑なため描いていない。以下、図３も同様である。）。またその下には、撮像されたときの年月日と時刻が表示されている。
【００１１】
図２のように画像は一定時間ごとに蓄積され、閲覧可能だが、従来技術の場合では、実際にカメラ画像を蓄積したいカメラポジションに、ＣＣＴＶカメラ装置がいない場合が多く、無駄な画像を蓄積することがあった。しかし、本発明の一実施例では、画像蓄積サーバ 3 が、画像を蓄積する直前に、カメラ管理サーバ 2 がＣＣＴＶカメラ装置のカメラポジションを、実際にカメラ画像を蓄積したいカメラポジションにプリセット移動させるため、実際に蓄積したいカメラ画像を蓄積することが可能である。
図３は、本発明の一実施例の操作用 PC 7 の表示部を示す図で、本発明の一実施例の操作を行うための表示画面例である。
【００１２】
図３において、操作用 PC 7 の表示部には、操作員が現在見ているカメラポジションの画像が、表示部 31 に表示されている。また、予めまたは設定できるプリセット位置（カメラポジション）の縮小代表画像がプリセット表示部 32 に複数個表示されている。操作者または観察者は、画面 31 に表示されている画像と別の画像を画像蓄積サーバ 3 に蓄積したい場合には、所望のプリセット位置の縮小代表画像の表示部分を GUI 操作で選択（例えば、クリック）することで、カメラポジションを切替え、当該画像を蓄積する。次に、蓄積終了指示をすることによってカメラポジションは、操作前のカメラポジションに復帰する。
【００１３】
なお、カメラポジションをプリセット位置から多少動かしたい、あるいは新しいプリセット位置を登録したいときには、カメラ制御エリア 33 のボタン図形を操作して、カメラポジションを変更する。またこのとき、表示部 34 には、システム全体のすべてのカメラの位置が分かる地図情報が表示されている。
【００１４】
また、通常の操作員が使用している間も画像蓄積サーバは、画像を蓄積するので、操作員が使用中の場合は、連動／非連動のスイッチ 35 を設けている。スイッチ 35 は、画像蓄積と連動してＣＣＴＶカメラ装置をプリセット移動させるスイッチである。
例えば、操作員が使用している間は、操作員が見ているカメラポジションを勝手に移動させてはいけない場合もあるので、図３の左下に表示されている連動／非連動のスイッチの図形（例えば、表示は、現在の状態が蓄積と連動している場合には、「蓄積連動」と表示されており、操作員が非連動の状態にしたいときは、GUI（ Graphical User Interface ）等によって、「蓄積連動」と表示されている連動／非連動のスイッチの図形部分を押す（クリック）することによって、非連動（表示は、例えば「蓄積非連動」と変更される）とすることができる。
【００１５】
ＣＣＴＶシステムは、例えば、図２のスケジュール操作エリア 23 を操作することによって、所望のプリセット位置の画像を画像蓄積サーバ 3 によって登録されたスケジュールに従って画像蓄積することができる。したがって、スイッチ 35 が「蓄積連動」と表示されているときには、予め登録されたスケジュールに従って、スケジュール録画されることになる。しかし、別に手動で操作が操作しながら別のカメラポジションを観察している場合でも、「蓄積連動」状態のときには、自動的に、予め登録されたスケジュールに連動して、カメラポジションが移動しながら画像蓄積が実行され、スケジュール録画されていない（設定されていない）時刻になったときに、スケジュール録画が開始する前に設定されていた（あるいは操作されていた）カメラポジションに復帰する。
【００１６】
なお、図２または図３の表示は、操作用 PC 7 の表示部だけでなく、例えば、画像蓄積サーバとネットワーク回線等を介して結合されたクライアント端末から閲覧できるようにすることができる。
カメラは、３台に限らず、何台でも良く、カメラ管理サーバ、操作用 PC の数も同様である。
【００１７】
以上のように、従来は、画像が一定時間ごとに蓄積され、閲覧可能だが、この蓄積画像が、実際にカメラ画像を蓄積したい位置に、ＣＣＴＶカメラ装置がいない場合が多く、無駄な画像を蓄積することがあったが、本発明により、画像蓄積サーバが、画像を蓄積する直前にカメラ管理サーバにて、ＣＣＴＶカメラをプリセット移動させ、画像蓄積することが可能である。また、通常の操作員が使用している間も画像蓄積サーバは、画像を蓄積するので、操作員が使用中の場合は、連動／非連動のスイッチを設け、自由に切替えることができる。
【図面の簡単な説明】
【００１８】
【図１】本発明を適用する CCTV システムの構成を示すブロック図。
【図２】画像蓄積サーバに蓄積された画像を表示部に表示した表示例。
【図３】本発明の一実施例の操作用 PC 7 の表示部を示す図。
【符号の説明】
【００１９】
1：カメラ、  2：カメラ管理サーバ、  3：画像蓄積サーバ、  4：エンコーダ、  5：カメラ制御部、  6：切替器、  7：操作用 PC、  21：蓄積された画像の縮小代表画像、  31：画面、  32：プリセット表示部、  33：カメラ制御エリア、  34：表示部、  35：スイッチ。
【図１】
2006303916.tif 000003
【図２】
2006303916.tif 000004
【図３】
2006303916.tif 000005